(57)【要約】【課題】使用者による貼付けが容易であり、且つ、筋肉の振動を効率的に抑制することが可能な皮膚貼付材を提供する。【解決手段】皮膚貼付材１００は、第１方向に延在するサポート部１１１と、サポート部１１１の第１方向の一端部を支持する第１アンカー部１１２と、サポート部１１１の第１方向の他端部を支持する第２アンカー部１１３と、を備え、サポート部１１１には、第１アンカー部１１２と第２アンカー部１１３との間で第１方向に延在し、サポート部１１１を分断する分断部１１４が形成され、第１方向に直交する第２方向において、サポート部１１１の両端側にそれぞれ掴み部１１５ａ及び１１５ｂが形成されている。【選択図】図１
2017099746.tif 000002
【特許請求の範囲】
【請求項１】
粘着面を有する皮膚貼付材であって、
第１方向に延在するサポート部と、
前記サポート部の前記第１方向の一端部を支持する第１アンカー部と、
前記サポート部の前記第１方向の他端部を支持する第２アンカー部と、
を備え、
前記サポート部には、前記第１アンカー部と前記第２アンカー部との間で前記第１方向に延在し、該サポート部を分断する分断部が形成され、
前記第１方向に直交する第２方向において、前記サポート部の両端側にそれぞれ掴み部が形成されている、皮膚貼付材。
【請求項２】
前記皮膚貼付材は、前記粘着面を保護する剥離部材を更に備え、
該剥離部材は、前記第１アンカー部と前記サポート部との間、前記第２アンカー部と前記サポート部との間、前記サポート部と各掴み部との間、及び前記分断部に対応する位置に分離部を有する、請求項１に記載の皮膚貼付材。
【請求項３】
前記剥離部材における前記第１アンカー部に対応する位置と前記サポート部に対応する位置との間に設けられた分離部は、前記皮膚貼付材の内側から外側に向かい、前記第２方向に対して前記第１アンカー部側に傾斜して延在し、
前記剥離部材における前記第２アンカー部に対応する位置と前記サポート部に対応する位置との間に設けられた分離部は、前記皮膚貼付材の内側から外側に向かい、前記第２方向に対して前記第２アンカー部側に傾斜して延在する、請求項２に記載の皮膚貼付材。
【請求項４】
前記分断部は、前記第１方向に延在する開口によって形成され、該開口の前記第１方向における一端部及び他端部は弧状である、請求項１〜３の何れか一項に記載の皮膚貼付材。
【発明の詳細な説明】
【技術分野】
【０００１】
本発明の一形態は、皮膚貼付材に関するものである。
【背景技術】
【０００２】
従来、伸縮性を有する皮膚貼付材を人体の所定部位に貼付けることにより、使用者の身体の動作を補助するテーピングが行われている。テーピングに用いられる皮膚貼付材として、ロール状に巻かれたテーピングテープ及びあらかじめ所定の形状にカットされたプレカット皮膚貼付材が知られている。例えば、特許文献１には、大腿部裏側の筋肉に適用することが可能なプレカット皮膚貼付材が記載されている。
【先行技術文献】
【特許文献】
【０００３】
【特許文献１】意匠登録第１３６４６７２号公報
【発明の概要】
【発明が解決しようとする課題】
【０００４】
疲労や痙攣につながる筋肉の振動を抑制するために、皮膚貼付材を用いたテーピングが行われる。ロール状のテーピングテープを使用する方法では、特定の貼付け方法に従ってテーピングテープを貼付ける必要があるので、専門知識を有しない使用者が自らテーピングを行うことは困難である。
【０００５】
したがって、使用者による貼付けが容易であり、且つ、筋肉の振動を効率的に抑制することが可能な皮膚貼付材が要請されている。
【課題を解決するための手段】
【０００６】
本発明の一形態における皮膚貼付材は、粘着面を有する皮膚貼付材であって、第１方向に延在するサポート部と、前記サポート部の前記第１方向の一端部を支持する第１アンカー部と、前記サポート部の前記第１方向の他端部を支持する第２アンカー部と、を備え、前記サポート部には、前記第１アンカー部と前記第２アンカー部との間で前記第１方向に延在し、該サポート部を分断する分断部が形成され、前記第１方向に直交する第２方向において、前記サポート部の両端側にそれぞれ掴み部が形成されている。
【０００７】
一形態に係る皮膚貼付材の第１アンカー部及び第２アンカー部は、それぞれ、対象とする筋肉の長手方向（筋肉の伸縮方向）の一端部付近及び他端部付近の皮膚上に貼付けられる。また、掴み部を掴んで伸ばすことにより、分断部にてサポート部が第１部分と第２部分とに分断される。このとき、第１アンカー部及び第２アンカー部に支持された状態で、第１部分及び第２部分は対象とする筋肉の長手方向に直交する幅方向において、互いに離間するように伸張された状態で皮膚上に貼付けられる。このように当該皮膚貼付材を適用することにより、サポート部の第１部分及び第２部分には、互いの離間距離を小さくする方向への応力、即ち、幅方向において筋肉を中心に寄せる力が生じる。したがって、筋肉の振動を効率よく抑制することが可能である。
【発明の効果】
【０００８】
本発明によれば、貼付けが容易であり、且つ、筋肉の振動を効率的に抑制することが可能な皮膚貼付材が提供される。
【図面の簡単な説明】
【０００９】
【図１】一実施形態に係る皮膚貼付材の正面図である。
【図２】図１に示す皮膚貼付材の背面図である。
【図３】図１に示す皮膚貼付材の適用例を示す図である。
【発明を実施するための形態】
【００１０】
以下、図面を参照しながら本願発明の実施形態について詳細に説明する。なお、各図面において同一又は相当の部分に対しては同一の記号を附すこととする。
【００１１】
まず、図１及び図２を参照しながら、皮膚貼付材１００の構成について説明する。図１は、一実施形態に係る皮膚貼付材１００の正面図であり、図２は、皮膚貼付材１００を粘着面（後述）側から見た背面図である。また、図１及び図２は、使用者の身体に貼付けられる前の状態に係る皮膚貼付材１００を示している。
【００１２】
皮膚貼付材１００は、人の筋肉を補助するためのテープであり、運動時に生じる余計な筋肉の振動を抑制することによって筋肉疲労を緩和するために用いられる。この皮膚貼付材１００は、テープ本体１１０及び剥離シート１２０から形成される二重構造を有している。
【００１３】
テープ本体１１０は、織布の片面（粘着面）に粘着剤が塗布されることによって形成される。織布の材質として、例えば、綿とウレタンとの混紡により作成された織布にパラフィン系の樹脂を含浸させた織布、等が適用される。粘着剤には、例えば、アクリル系、シリコーン系、及びゴム系等の粘着剤を用いることができる。なお、テープ本体１１０を構成する織布、及び粘着剤はこれらに限定されず、それぞれにおいて任意の材料を用いてよい。
【００１４】
剥離シート１２０は、テープ本体１１０の粘着面を保護するために、当該粘着面上に貼られるシート状の剥離部材である。この剥離シート１２０には、粘着面から当該剥離シート１２０を剥がしやすくするために、粘着面と接する面にシリコーン処理が施されてもよい。
【００１５】
テープ本体１１０と剥離シート１２０とは全体の形状が同じであるので、以下ではテープ本体１１０の形状について説明する。
【００１６】
図１に示すように、テープ本体１１０は一方向に沿って延びる長尺な形状を有しており、本明細書中ではこの方向をＹ軸方向（第１方向）とし、当該Ｙ軸方向とテープ本体１１０の平面内において直交する方向をＸ軸方向（第２方向）とする。また、図１における紙面右側を「Ｘ軸正側」、紙面左側を「Ｘ軸負側」、紙面上側を「Ｙ軸正側」、紙面下側を「Ｙ軸負側」として説明する場合もある。
【００１７】
テープ本体１１０の全体の寸法は、Ｙ軸方向においては１００〜６００ｍｍ、Ｘ軸方向においては１００〜６００ｍｍの範囲内で、使用者の体型及び適用する部位などを考慮して任意に定めることができる。一例では、Ｙ軸方向の長さは２５０ｍｍ、Ｘ軸方向の長さは１５０ｍｍである。なお、テープ本体１１０は当該寸法に限定されず、Ｙ軸方向に長尺でなく、Ｘ軸方向に長尺、又は、正方形であってもよい。
【００１８】
テープ本体１１０のＹ軸方向における伸縮性は、Ｘ軸方向における伸縮性より高くなるように加工されている。なお、Ｙ軸方向及びＸ軸方向における伸縮性の設定はこれに限定されず、Ｘ軸方向における伸縮性がＹ軸方向における伸縮性より高くなるように加工されていてもよい。また、Ｘ軸方向及びＹ軸方向における伸縮性が同程度となるように加工されていてもよい。
【００１９】
テープ本体１１０は全体として略長方形状を呈しており、サポート部１１１、第１アンカー部１１２、及び第２アンカー部１１３を備えている。サポート部１１１は、Ｙ軸方向において、第１アンカー部１１２と第２アンカー部１１３との間に位置している。サポート部１１１には、第１アンカー部１１２から第２アンカー部１１３までのＹ軸方向に延在する分断部１１４が形成されており、当該分断部１１４を挟み、Ｘ軸方向に並んで設けられた第１部分１１１ａ及び第２部分１１１ｂを有している。さらに、サポート部１１１の両端側には一対の掴み部１１５ａ及び１１５ｂが設けられている。
【００２０】
説明の便宜上、図１において、第１部分１１１ａと第１アンカー部１１２との間の境界、及び第２部分１１１ｂと第１アンカー部１１２との間の境界をそれぞれＬＡａ及びＬＡｂとする。また、第１部分１１１ａと第２アンカー部１１３との間の境界、及び、第２部分１１１ｂと第２アンカー部１１３との間の境界をそれぞれＬＢａ及びＬＢｂとする。さらに、第１部分１１１ａと掴み部１１５ａとの間の境界、及び、第２部分１１１ｂと掴み部１１５ｂとの間の境界を、それぞれＬＣａ及びＬＣｂとする。図１において、ＬＡａ、ＬＡｂ、ＬＢａ、ＬＢｂ、ＬＣａ、及びＬＣｂを一点鎖線で示す。ただし、各境界線の位置はテープ本体１１０の各部位がどこに該当するかの理解を容易とするために便宜的に設定されたものであり、図１のように厳密に定められるものでなくてよい。例えば、ＬＡａ、ＬＡｂ、ＬＢａ、及びＬＢｂは、Ｘ軸方向へまっすぐ伸びる直線であってもよい。また、ＬＡａ、ＬＡｂ、ＬＢａ、ＬＢｂ、ＬＣａ、及びＬＣｂは、直線でなく曲線であってもよい。
【００２１】
サポート部１１１は、一例では、Ｙ軸方向に延在する矩形状を呈し、第１アンカー部１１２と第２アンカー部１１３との間に位置する。サポート部１１１は、分断部１１４によって第１部分１１１ａと第２部分１１１ｂとに分断される。図１に示す例では、第１部分１１１ａ及び第２部分１１１ｂのＹ軸正側の一端部は第１アンカー部１１２によって支持され、Ｙ軸負側の他端部は第２アンカー部１１３によって支持される。第１部分１１１ａのＸ軸正側の一辺は、分断部１１４の形状（後述）に合わせて弧状に形成され、Ｘ軸負側の一辺は、Ｙ軸方向に延びる直線状に形成されている。また、第２部分１１１ｂのＸ軸正側の一辺は、Ｙ軸方向に延びる直線状に形成されており、Ｘ軸負側の一辺は、分断部１１４の形状（後述）に合わせて弧状に形成されている。ただし、第１部分１１１ａ及び第２部分１１１ｂの形状は特に限定されない。本実施形態においてサポート部１１１は、テープ本体１１０においてＹ軸方向に沿って伸びる中心線Ｃ１に対して線対称に設けられており、さらに、テープ本体１１０においてＸ軸方向に沿って伸びる中心線Ｃ２に対して線対称に設けられている。ただし、サポート部１１１は、中心線Ｃ１及び中心線Ｃ２に対して線対称でなくともよいが、線対称とすることで、バランスよく筋肉を支持できる。
【００２２】
第１アンカー部１１２は全体としてＸ軸方向に長い矩形状を呈している。第１アンカー部１１２はサポート部１１１の一端部を支持しており、図１に示す例では、第１部分１１１ａ及び第２部分１１１ｂのＹ軸正側の一端部を支持している。また、第１アンカー部１１２のＸ軸方向の両側には、略半円状の一対の掴み部１１６ａ及び１１６ｂが形成されていてもよい。一例では、掴み部１１６ａ及び掴み部１１６ｂは、Ｘ軸方向及びＹ軸方向に対して斜めに延びる方向に突出して設けられている。また、掴み部１１６ａ及び掴み部１１６ｂの直径は２０〜５０ｍｍである。なお、掴み部１１６ａ及び掴み部１１６ｂはＸ軸方向又はＹ軸正側に沿って突出していてもよく、その形状は略半円状に限定されない。また、第１アンカー部１１２のＸ軸方向における長さは、サポート部１１１のＸ軸方向における長さと略同じ長さに形成されている。第１アンカー部１１２のＹ軸正側における一辺は、略直線状に形成され、掴み部１１６ａ及び掴み部１１６ｂに連続する箇所においては、弧状に形成されている。また、本実施形態において、第１アンカー部１１２は中心線Ｃ１に対して線対称に設けられている。ただし、第１アンカー部１１２は中心線Ｃ１に対して線対称でなくともよいが、線対称とすることで、バランスよく筋肉を支持できる。
【００２３】
第２アンカー部１１３は全体としてＸ軸方向に長い矩形状を呈している。第２アンカー部１１３はサポート部１１１の他端部（第１アンカー部１１２が支持する一端部と反対側の端部）を支持しており、図１に示す例では、第１部分１１１ａ及び第２部分１１１ｂのＹ軸負側の他端部を支持している。また、第２アンカー部１１３のＸ軸方向の両面には、第１アンカー部１１２と同様に、略半円状の一対の掴み部１１７ａ及び１１７ｂが形成されていてもよい。一例では掴み部１１７ａ及び掴み部１１７ｂは、Ｘ軸方向及びＹ軸方向と交差する方向に突出して設けられている。また、掴み部１１７ａ及び１１７ｂの直径は２０〜５０ｍｍである。なお、掴み部１１７ａ及び１１７ｂはＸ軸方向又はＹ軸方向沿って突出していてもよく、その形状は略半円状に限定されない。また、第１アンカー部１１２のＸ軸方向における長さは、サポート部１１１のＸ軸方向における長さと略同じ長さに形成されている。第２アンカー部１１３のＹ軸負側における一辺は略直線状に形成され、掴み部１１７ａ及び掴み部１１７ｂに連続する箇所においては、弧状に形成されている。また、本実施形態において、第２アンカー部１１３は中心線Ｃ１に対して線対称に設けられており、第１アンカー部１１２と第２アンカー部１１３は中心線Ｃ２に対して線対称である。ただし、第２アンカー部１１３は中心線Ｃ１に対して線対称でなくともよく、第１アンカー部１１２と第２アンカー部１１３は中心線Ｃ２に対して線対称でなくともよい。
【００２４】
分断部１１４は、Ｙ軸方向に延在してサポート部１１１に設けられている。分断部１１４は、サポート部１１１を第１部分１１１ａと第２部分１１１ｂとに分断している。図１に示す例では、分断部１１４はＹ軸方向に延在する楕円形の開口によって形成されている。なお、分断部１１４はサポート部１１１を第１部分１１１ａと第２部分１１１ｂとに分断するものであればよく、開口に限らず、単なる切れ目など、使用者の使用開始時において開口していない形状によって形成されてもよい。また、一実施形態においては、分断部１１４のＹ軸方向における一端部及び他端部の形状は弧状であることが好ましい。この実施形態によれば、第１部分１１１ａ及び第２部分１１１ｂをＸ軸方向に伸張した際に分断部１１４の一端部及び他端部に応力が集中し、当該分断部１１４が裂けることを防止することができる。
【００２５】
掴み部１１５ａ及び１１５ｂは、Ｘ軸方向においてサポート部１１１の両側に設けられている。これにより、使用者は当該掴み部１１５ａ及び１１５ｂを掴んでサポート部の第１部分１１１ａ及び第２部分１１１ｂを伸張することができる。図１に示す例では、掴み部１１５ａは、第１部分１１１ａのＸ軸負側の側面において、テープ本体１１０のＹ軸方向における略中央の位置に、Ｘ軸負側に突出して設けられている。また、掴み部１１５ｂは、第２部分１１１ｂのＸ軸正側の側面において、テープ本体１１０のＹ軸方向における略中央の位置に、Ｘ軸正側に突出して設けられている。一例では、掴み部１１５ａ及び１１５ｂは略半円状に形成され、その直径は２０〜５０ｍｍである。なお、Ｙ軸方向において掴み部１１５ａ及び１１５ｂが設けられる位置は、略中央に限定されない。また、掴み部１１５ａ及び１１５ｂの形状は略半円状に限定されない。
【００２６】
次に、図２を参照しながら剥離シート１２０について説明する。上述したように、剥離シート１２０の全体の形状はテープ本体１１０と同じである。図２に示すように、剥離シート１２０には使用者の剥離作業を貼付け作業を容易にするために、いくつかの分離部が形成されている。なお、分離部は、剥離シート１２０の一部を剥離するときに他の部分と容易に分離できればよいので、完全に切断された切れ目に限定されない。例えば、ミシン目であってもよい。図２に示す例では、剥離シート１２０には複数の分離部１３１ａ、１３１ｂ、１３２ａ、１３２ｂ、１３３、１３４ａ、１３４ｂ、１３５ａ、１３５ｂ、１３６ａ、１３６ｂが形成される。また、これらの分離部によって、剥離シート１２０は複数の領域１２１ａ、１２１ｂ、１２２、１２３、１２５ａ、１２５ｂ、１２６ａ、１２６ｂ、１２７ａ、１２７ｂに区画される。
【００２７】
サポート部１１１と第１アンカー部１１２との境界付近に対応する位置には、分離部１３１が形成されている。特に、第１部分１１１ａと第１アンカー部１１２との間の分離部を分離部１３１ａとし、第２部分１１１ｂと第１アンカー部１１２との間の分離部を分離部１３１ｂとする。分離部１３１ａ及び分離部１３１ｂはＸ軸方向に延在し、第１アンカー部１１２の粘着面を保護する領域１２２を区画している。
【００２８】
サポート部１１１と第２アンカー部１１３との境界付近に対応する位置には、分離部１３２が形成されている。特に、第１部分１１１ａと第２アンカー部１１３との間の分離部を分離部１３２ａとし、第２部分１１１ｂと第２アンカー部１１３との間の分離部を分離部１３２ｂとする。分離部１３２ａ及び分離部１３２ｂはＸ軸方向に延在し、第２アンカー部１１３の粘着面を保護する領域１２３を区画している。
【００２９】
一実施形態においては、分離部１３１は剥離シート１２０の内側から外側に向かい、Ｘ軸方向に対して第１アンカー部１１２側に傾斜して延在する。分離部１３２は剥離シート１２０の内側から外側に向かい、Ｘ軸方向に対して第２アンカー部１１３側に傾斜して延在する。図２に示す例では、分離部１３１ａ及び分離部１３１ｂは、分断部１１４のＹ軸正側の一端部を基点として、Ｘ軸方向における外側に向かって第１アンカー部１１２側に傾斜している。また、分離部１３２ａ及び分離部１３２ｂは、分断部１１４のＹ軸負側の他端部を基点として、Ｘ軸方向における外側に向かって第２アンカー部１１３側に傾斜している。この実施形態によれば、サポート部１１１の第１部分１１１ａ及び第２部分１１１ｂをＸ軸方向に伸張した状態において、分離部１３１ａ、１３１ｂ、１３２ａ、及び１３２ｂが延在する方向に対し、垂直に近い方向でサポート部１１１の第１部分１１１ａ及び第２部分１１１ｂが延在することとなる。故に、分断部１１４の端部付近に応力が集中することが防止され、第１アンカー部１１２及び第２アンカー部１１３にかかる力の均一性が向上する。したがって、Ｘ軸方向において筋肉を中心に寄せる力を効率よく発生させることが可能である。また、応力の集中に起因する皮膚への刺激が軽減されるので、かぶれ等の皮膚トラブルを引き起こす虞を低減することができる。
【００３０】
分断部１１４に対応する位置には、分離部１３３が形成されている。分離部１３３は、サポート部１１１の第１部分１１１ａの粘着面を保護する領域１２１ａと第２部分１１１ｂの粘着面を保護する領域１２１ｂとを分離する。図２に示す例では、分離部１３３はＹ軸方向に延在する楕円形である。なお、分離部１３３の形状は楕円形に限定されず、分断部１１４の形状にあわせて形成することができる。
【００３１】
サポート部１１１と掴み部１１５ａとの境界付近に対応する位置、及び、サポート部１１１と掴み部１１５ｂの境界付近に対応する位置には、それぞれ、分離部１３４ａ及び分離部１３４ｂが形成される。分離部１３４ａは、掴み部１１５ａの粘着面を保護する領域１２５ａを区画する。また、分離部１３４ｂは、掴み部１１５ｂの粘着面を保護する領域１２５ｂを区画する。領域１２５ａ及び領域１２５ｂが形成されていることにより、使用者はより容易にサポート部１１１の第１部分１１１ａ及び第２部分１１１ｂを伸張して貼付けることができる。
【００３２】
第１アンカー部１１２に掴み部１１６ａ及び掴み部１１６ｂが形成される実施形態においては、図２に示すように、第１アンカー部１１２と掴み部１１６ａとの境界付近に対応する位置に分離部１３５ａが、第１アンカー部１１２と掴み部１１６ｂとの境界付近に対応する位置に分離部１３５ｂが形成されてもよい。分離部１３５ａ及び分離部１３５ｂは、それぞれ、掴み部１１６ａの粘着面を保護する領域１２６ａ及び掴み部１１６ｂの粘着面を保護する領域１２６ｂを区画する。また、第２アンカー部１１３に掴み部１１７ａ及び掴み部１１７ｂが形成される実施形態においては、第２アンカー部１１３と掴み部１１７ａとの境界付近に対応する位置に分離部１３６ａが、第２アンカー部１１３と掴み部１１７ｂとの境界付近に対応する位置に分離部１３６ｂが形成されてもよい。分離部１３６ａ及び分離部１３６ｂは、それぞれ、掴み部１１７ａの粘着面を保護する領域１２７ａ及び掴み部１１７ｂの粘着面を保護する領域１２７ｂを区画する。
【００３３】
上述した皮膚貼付材１００は、例えば、加工された織布の粘着面の全体に剥離シートを張り付けて一枚のシートを形成した後、当該シートをダイカット（ｄｉｅ  ｃｕｔ）することによって作製することができる。また、剥離シート１２０の各分離部の切れ目等はキスカット（ｋｉｓｓ  ｃｕｔ）することによって作製することができる。
【００３４】
次に、図３を参照して、皮膚貼付材１００の適用例について説明する。図３は、右足の大腿部裏側１の筋肉の疲労を軽減するために使用者の身体に貼付けられた状態のテープ本体１１０を示す図である。
【００３５】
使用者は、剥離シート１２０を部分的に剥がしてテープ本体１１０の粘着面の一部を露出させ、その露出部を使用者の身体の適用箇所に貼付けていく。以下に、皮膚貼付材１００を大腿部裏側１に適用するための貼付け手順の一例を示す。皮膚貼付材１００を大腿部裏側１に適用する場合、第１アンカー部１１２及び第２アンカー部１１３のどちらか一方が膝裏の上部１Ａの付近、他方が大腿部の付け根部分１Ｂの付近となるように、大腿部裏側１に沿って貼付けられる。
【００３６】
初めに、使用者は第１アンカー部１１２を皮膚に貼付ける。具体的には、使用者は剥離シート１２０の領域１２２を剥がして第１アンカー部１１２の粘着面を露出させる。そして、皮膚貼付材１００が使用者の大腿部裏側１に沿う方向となるように、膝裏の上部１Ａの付近に第１アンカー部１１２を貼付ける。
【００３７】
第１アンカー部１１２に掴み部１１６ａ及び掴み部１１６ｂが設けられている実施形態においては、使用者は剥離シート１２０の領域１２６ａ及び領域１２６ｂを残した状態で第１アンカー部１１２の貼付けを行ってもよい。これにより、使用者は掴み部１１６ａ及び掴み部１１６ｂを持つことができ、第１アンカー部１１２の貼付けをより容易に行うことが可能である。なお、剥離シート１２０の領域１２２と共に領域１２６ａ及び領域１２６ｂを剥離し、第１アンカー部１１２と掴み部１１６ａ及び掴み部１１６ｂを同時に貼付けてもよい。
【００３８】
続いて、使用者は第２アンカー部１１３を皮膚に貼付ける。具体的には、使用者は剥離シート１２０の領域１２３を剥がして第２アンカー部の粘着面を露出させる。そして、大腿部裏側１の付け根部分１Ｂの付近に第２アンカー部１１３を貼付ける。
【００３９】
第２アンカー部１１３に掴み部１１７ａ及び掴み部１１７ｂが設けられている実施形態においては、使用者は剥離シート１２０の領域１２７ａ及び領域１２７ｂを残した状態で第１アンカー部１１２の貼付けを行ってもよい。これにより、使用者は掴み部１１７ａ及び掴み部１１７ｂを持つことができ、第２アンカー部１１３の貼付けをより容易に行うことが可能である。なお、剥離シート１２０の領域１２３と共に領域１２７ａ及び領域１２７ｂを剥離し、第２アンカー部１１３と掴み部１１７ａ及び掴み部１１７ｂを同時に貼付けてもよい。
【００４０】
次に、使用者はサポート部１１１を皮膚に貼付ける。サポート部１１１の貼付けでは、第１部分１１１ａ及び第２部分１１１ｂのどちらか一方を貼付けた後、他方を貼付ける。以下では、第１部分１１１ａを貼付けた後に第２部分１１１ｂを貼付ける場合について説明する。第１部分１１１ａを貼付けるために、使用者は剥離シート１２０の領域１２１ａを剥がして第１部分１１１ａの粘着面を露出させる。そして、掴み部１１５ａを持って第１部分１１１ａを大腿部の外側１Ｃの方向に伸張した状態で皮膚に貼付ける。続いて、剥離シート１２０の領域１２５ａを剥がして掴み部１１５ａの粘着面を露出させて、皮膚に貼付ける。次に、第２部分１１１ｂを貼付けるために、使用者は剥離シート１２０の領域１２１ｂを剥がして第２部分１１１ｂの粘着面を露出させる。そして、掴み部１１５ｂを持って第２部分を大腿部の内側１Ｄの方向に伸張した状態で皮膚に貼付ける。その後、剥離シート１２０の領域１２５ｂを剥がして掴み部１１５ｂの粘着面を露出させて、皮膚に貼付ける。
【００４１】
なお、皮膚貼付材１００の貼付け手順は上記の手順に限定されず、第２アンカー部１１３を貼付けた後に第１アンカー部１１２を貼付けてもよい。また、第２アンカー部１１３を膝裏の上部１Ａの付近に貼付け、第１アンカー部１１２を大腿部の付け根部分１Ｂの付近に貼り付けてもよい。
【００４２】
以上の手順により、図３に示すように、皮膚貼付材１００は大腿部裏側１に沿って貼付けられる。サポート部１１１の第１部分１１１ａ及び第２部分１１１ｂは、互いに離間するように伸張された状態で貼付けられ、第１アンカー部１１２及び第２アンカー部１１３によって支持されている。第１アンカー部１１２及び第２アンカー部１１３は、サポート部１１１の両端部の位置を固定しているので、伸張された第１部分１１１ａ及び第２部分１１１ｂが収縮しようとする力は、主にテープ本体１１０のＸ軸方向において作用する。故に、第１部分１１１ａ及び第２部分１１１ｂには、それぞれ、全体として互いの離間距離を小さくする方向への応力Ｆ１及び応力Ｆ２が発生する。応力Ｆ１及び応力Ｆ２は大腿部裏側１の筋肉を中心へ寄せるように作用するので、幅方向における筋肉の振動が効率よく抑制される。したがって、筋肉の振動に起因する疲労及び痙攣を軽減することが可能である。
【００４３】
なお、皮膚貼付材１００の適用部位は大腿部に限定されず、例えば、体幹背部、体幹側部、足部、前部、腕部などといった、長手方向に筋肉が延在する様々な部位に適用することが可能である。
【００４４】
以上、本発明をその実施形態に基づいて説明してきが、本発明は上記実施形態に限定されるものではない。本発明は、その要旨を逸脱しない範囲で様々な変形が可能である。例えば、剥離シート１２０の分離部の態様は特に限定されず、上記実施形態とは異なる位置に分離部を形成してもよい。あるいは、分離部を形成しなくてもよい。
【符号の説明】
【００４５】
１００…皮膚貼付材、１１０…テープ本体、１２０…剥離シート、１１１…サポート部、１１１ａ…第１部分、１１１ｂ…第２部分、１１２…第１アンカー部、１１３…第２アンカー部、１１４…分断部、１３１，１３１ａ，１３１ｂ，１３２，１３２ａ，１３２ｂ，１３３，１３４ａ，１３４ｂ，１３５ａ，１３５ｂ，１３６ａ，１３６ｂ…分離部。
【図１】
2017099746.tif 000003
【図２】
2017099746.tif 000004
【図３】
2017099746.tif 000005